(57)【要約】【課題】簡便な構造で、まぶしくないワイヤレスコントロールフラッシュに使用可能なカメラを提供する。【解決手段】撮影光学系１０１による像を撮像可能な撮像素子２２１装置と、ポップアップ可能なフラッシュユニット５０を具備し、ワイヤレスフラッシュを制御するワイヤレス制御モードでは、フラッシュユニット５０は収納状態のままで、可視光カットプリズム６１を介することによって可視光を含まない光を照射する。ワイヤレスフラッシュを制御しない通常モードでは、フラッシュユニット５０はポップアップし、可視光を含む光を照射する。【選択図】  図２
2010039163.tif 000002
【特許請求の範囲】
【請求項１】
撮影光学系による像を撮像可能な撮像装置と、
ポップアップ可能なフラッシュと、
を具備するカメラにおいて、
第１の撮影モードでは、上記フラッシュがポップアップ状態の時にのみ発光を許可し、
ワイヤレスフラッシュを制御する第２の撮影モードでは、上記ポップアップ状態、収納状態のいずれの状態であるかに関わらず、発光を許可することを特徴とするカメラ。
【請求項２】
撮影光学系と、
上記撮影光学系による像を撮像可能な撮像装置と、
ポップアップ可能なフラッシュと、
を具備するカメラにおいて、
上記フラッシュは複数の位置にて発光可能であり、
第１の状態では、可視光を含む光を被写体に照射し、
第２の状態では、可視光を含まない光を照射する
ことを特徴とするカメラ。
【請求項３】
上記第２の状態では、上記フラッシュは収納状態であることを特徴とする請求項２に記載のカメラ。
【請求項４】
上記フラッシュが上記第２の状態においては、ワイヤレスフラッシュを制御する撮影モードの時のみ、上記フラッシュの発光を許可することを特徴とする請求項２に記載のカメラ。
【請求項５】
撮影光学系と、
上記撮影光学系による像を撮像可能な撮像装置と、
自動ポップアップが可能な内蔵フラッシュと、
を具備するカメラにおいて、
第１の撮影モードでは、フラッシュの発光を許可する際は、フラッシュを自動でポップアップし、
第２の撮影モードでは、フラッシュの発光の許可に関わらず、自動ポップアップを禁止する
ことを特徴とするカメラ。
【請求項６】
撮影光学系と、
上記撮影光学系による像を撮像可能な撮像装置と、
ポップアップが可能な内蔵フラッシュと、
を具備するカメラにおいて、
上記内蔵フラッシュの収納状態時に、フラッシュの発光部の前面に可視光カット部材を配置したことを特徴とするカメラ。
【請求項７】
ワイヤレスフラッシュ装置を制御するワイヤレス制御モードを設定可能なカメラにおいて、
収納状態とポップアップ状態の２つの位置に移動可能な内蔵フラッシュと、
上記内蔵フラッシュが上記収納状態にある際に、上記内蔵フラッシュの照射面の近傍にあり、上記内蔵フラッシュの発光をカメラ正面方向に照射するための光路変更部材と、
上記ワイヤレス制御モードを設定した場合には上記収納状態で上記内蔵フラッシュの照射を許可する制御部と、
を具備したことを特徴とするカメラ。
【請求項８】
上記光路変更部材による上記内蔵フラッシュの照射光路中に可視光カット部材を設けたことを特徴とする請求項７に記載のカメラ。
【請求項９】
上記光路変更部材は可視光カット部材も兼用することを特徴とする請求項８に記載のカメラ。
【請求項１０】
上記制御部は、上記ワイヤレスフラッシュ装置を制御しない通常モードにおいて、上記内蔵フラッシュが収納状態にある場合には、上記内蔵フラッシュの発光を禁止することを特徴とする請求項７に記載のカメラ。
【発明の詳細な説明】
【技術分野】
【０００１】
本発明は、カメラに関し、詳しくは、ボディ内蔵のフラッシュを有し、ワイヤレスフラッシュを制御するカメラに関する。
【背景技術】
【０００２】
被写体に照明光を照射するにあたって、カメラ本体に内蔵または装着したフラッシュ装置のみでは、意図するライティングとならない場合もあり、この場合には、カメラ本体から離れた場所にワイヤレスフラッシュを配置し、これをカメラ本体から制御するワイヤレスフラッシュシステムが知られている。
【０００３】
例えば、特許文献１には、カメラから離れた位置に配置した外部フラッシュに対し、プリ発光を利用して制御のための情報を伝達するワイヤレスフラッシュシステムが開示されている。このシステムでは、カメラ本体の内蔵フラッシュをそのまま利用し、ワイヤレスフラッシュの発光量や発光タイミングを、複数回プリ発光することにより伝達している。
【特許文献１】特許３０６１４３７号公報
【発明の開示】
【発明が解決しようとする課題】
【０００４】
このシステムは、ワイヤレスフラッシュを制御するにあたって、専用のコントローラを必要とせず簡便な構成にすることができる。しかし、このシステムは、カメラ又は外部フラッシュの照射光を利用して可視光によるデータ通信を行うことから、撮影者にとってまぶしいという問題がある。
【０００５】
本発明は、このような事情を鑑みてなされたものであり、簡便な構造で、まぶしくないワイヤレスコントロールフラッシュに使用可能なカメラを提供することを目的とする。
【課題を解決するための手段】
【０００６】
上記目的を達成するため第１の発明に係わるカメラは、撮影光学系による像を撮像可能な撮像装置と、ポップアップ可能なフラッシュと、を具備するカメラにおいて、第１の撮影モードでは、上記フラッシュがポップアップ状態の時にのみ発光を許可し、ワイヤレスフラッシュを制御する第２の撮影モードでは、上記ポップアップ状態、収納状態のいずれの状態であるかに関わらず、発光を許可する。
【０００７】
第２の発明に係わるカメラは、撮影光学系と、上記撮影光学系による像を撮像可能な撮像装置と、ポップアップ可能なフラッシュと、を具備するカメラにおいて、上記フラッシュは複数の位置にて発光可能であり、第１の状態では、可視光を含む光を被写体に照射し、第２の状態では、可視光を含まない光を照射する。
【０００８】
第３の発明に係わるカメラは、上記第２の発明において、上記第２の状態では、上記フラッシュは収納状態である。
第４の発明に係わるカメラは、上記第２の発明において、上記フラッシュが上記第２の状態においては、ワイヤレスフラッシュを制御する撮影モードの時のみ、上記フラッシュの発光を許可する。
【０００９】
第５の発明に係わるカメラは、撮影光学系と、上記撮影光学系による像を撮像可能な撮像装置と、自動ポップアップが可能な内蔵フラッシュと、を具備するカメラにおいて、第１の撮影モードでは、フラッシュの発光を許可する際は、フラッシュを自動でポップアップし、第２の撮影モードでは、フラッシュの発光の許可に関わらず、自動ポップアップを禁止する。
【００１０】
第６の発明に係わるカメラは、撮影光学系と、上記撮影光学系による像を撮像可能な撮像装置と、ポップアップが可能な内蔵フラッシュと、を具備するカメラにおいて、上記内蔵フラッシュの収納状態時に、フラッシュの発光部の前面に可視光カット部材を配置する。
【００１１】
第７の発明に係わるカメラは、ワイヤレスフラッシュ装置を制御するワイヤレス制御モードを設定可能なカメラにおいて、収納状態とポップアップ状態の２つの位置に移動可能な内蔵フラッシュと、上記内蔵フラッシュが上記収納状態にある際に、上記内蔵フラッシュの照射面の近傍にあり、上記内蔵フラッシュの発光をカメラ正面方向に照射するための光路変更部材と、上記ワイヤレス制御モードを設定した場合には上記収納状態で上記内蔵フラッシュの照射を許可する制御部と、を具備する。
【００１２】
第８に係わるカメラは、上記第７の発明において、上記光路変更部材による上記内蔵フラッシュの照射光路中に可視光カット部材を設ける。
第９に係わるカメラは、上記第８の発明において、上記光路変更部材は可視光カット部材も兼用する。
第１０に係わるカメラは、上記第７の発明において、上記制御部は、上記ワイヤレスフラッシュ装置を制御しない通常モードにおいて、上記内蔵フラッシュが収納状態にある場合には、上記内蔵フラッシュの発光を禁止する。
【発明の効果】
【００１３】
本発明によれば、簡便な構造で、まぶしくないワイヤレスコントロールフラッシュに使用可能なカメラを提供することができる。
【発明を実施するための最良の形態】
【００１４】
以下、図面に従って本発明を適用したカメラを用いて好ましい一実施形態について説明する。本実施形態に係わるカメラは、デジタル一眼レフレックスカメラであり、交換レンズ１００とカメラ本体２００とから構成される。交換レンズ１００とカメラ本体２００は別体で構成され、通信接点３００(図４参照)にて電気的に接続されているが、交換レンズ１００とカメラ本体２００を一体に構成することも可能である。
【００１５】
図１および図２は、本発明の一実施形態に係わるデジタルカメラの内部機構について、撮影レンズの光軸方向に沿った内部構成を示す断面図であり、図３は、正面図である。図１および図３（ｂ）はフラッシュユニットがポップアップした状態であり、図２および図３（ａ）はフラッシュユニットを収納した状態を示す。
【００１６】
交換レンズ１００の内部に配置された撮影光学系１０１の光軸上であって、カメラ本体２００のミラーボックス内に可動ミラー２０１が配置されている。この可動ミラー２０１は、被写体光束をペンタプリズム２０７等のファインダ光学系に反射するために撮影光学系１０１の光軸に対して４５度傾いた反射位置と、被写体像を撮像素子２２１に導くために、撮影光路から退避した退避位置とに回動可能となっている。
【００１７】
可動ミラー２０１の回動軸は図１の紙面に対して垂直方向に沿っている。この可動ミラー２０１によって、上方に被写体光束を反射する。なお、本実施形態では、上方に反射しているが、これに限らず、カメラ本体の右方でも左方でも、被写体光束の反射方向は機構部材や光学部材の配置上、最も適切になるように選択してよい。
【００１８】
可動ミラー２０１の反射光軸上にフォーカシングスクリーン２０５が配置されている。これは撮影光学系１０１による被写体光束を結像させるための結像面であり、可動ミラー２０１からの距離が撮像素子２２１と等価な位置に配設されている。フォーカシングスクリーン２０５の上方には、被写体像を左右反転させるためのペンタプリズム２０７が配置されている。ペンタプリズム２０７の後方には、接眼レンズ２１２が配置されており、撮影者は接眼部側から接眼レンズ２１２を覗いて被写体像の確認を行うことができる。ペンタプリズム２０７および接眼レンズ２１２によってファインダユニットが構成される。
【００１９】
可動ミラー２０１の中央付近はハーフミラーで構成されており、この可動ミラー２０１の背面には、ハーフミラー部を透過した被写体光束を反射するための測距用のサブミラー２０３が設けられている。このサブミラー２０３は、可動ミラー２０１に対して回動可能であり、可動ミラー２０１が撮影光路から退避し、被写体光束が撮像ユニット２４の撮像素子２２１に入射しているときには、ハーフミラー部を覆う位置に回動し、可動ミラー２０１が図示の如き被写体像観察位置（挿入状態）にあるときには、可動ミラー２０１に対して起き上がって開となり測距ユニット３１に被写体光束の一部を反射可能となる位置にある。
【００２０】
サブミラー２０３の反射光路上にＴＴＬ位相差方式で測距を行うための位相差ＡＦセンサ２４３および位相差ＡＦ処理回路２４５（図２参照）を含む測距ユニット３１が配置されている。この測距ユニット３１によって、撮影光学系１０１によって結像される被写体像の焦点ズレ方向および焦点ズレ量を検出する。
【００２１】
可動ミラー２０１の後方であって、撮影光学系１０１の光軸上には、フォーカルプレーンシャッタ２１３および撮像素子２２１が配置されている。撮像素子２２１は、撮影光学系１０１によって結像される被写体像を電気信号に光電変換する。
【００２２】
撮像素子２２１の背面側には、撮像素子２２１から画像信号を処理し、また、このカメラを制御するための各種電気回路を有する基板２９が配置されている。また、カメラ本体２００の背面であってユーザーが観察しやすい位置に液晶モニタ２６が配置されている。液晶モニタ２６はライブビュー表示、記録済みの画像データの再生表示および各種メニューモード等の各種表示を行う。なお、液晶モニタ２６はカメラ本体２００の背面に配置されるが、撮影者が観察できる位置であれば、背面に限らないし、また液晶に限らず有機ＥＬディスプレイ等、他の表示装置でも構わない。さらに、固定式に限らず、可動式のモニタであってもよい。
【００２３】
また、カメラ本体２００の上部であって、中央部前側には、フラッシュユニット５０が配置されている。このフラッシュユニット５０は、可動支持部５１、発光部５３、およびパネル５５等によって構成されている。フラッシュユニット５０は、可動支持部５１に回動自在に支持されており、ポップアップ時には、図１および図３（ｂ）に示されているように、発光部５３およびパネル５５は被写体方向に向いた位置にあり、発光部５３からの照射光は被写体に向けて照射される。この状態の照射光は、赤外光等の光と可視光とが混合した光である。
【００２４】
また、フラッシュユニット５０の収納状態では、図２および図３（ａ）に示すように、発光部５３およびパネル５５は、カメラ本体２００内に収納され、可視光カットプリズム６１に向いている。可視光カットプリズム６１は、ポリカーボネート、アクリル、ガラス等によって構成され、発光部５３からの照射光のうち、可視光が吸収され、赤外光等の光が透過する。したがって、フラッシュユニット５０の収納状態では、発光部５３からの照射光は、可視光カットプリズム６１によって可視光がカットされ、赤外光等、撮影者に見えない光が照射窓６１ａを通じて、外部に照射される。
【００２５】
次に、図４を用いて、デジタルカメラの電気系を主とする全体構成を説明する。交換レンズ１００の内部には、焦点調節および焦点距離調節用の撮影光学系１０１と、開口量を調節するための絞り１０３が配置されている。撮影光学系１０１はレンズ駆動機構１０７によって駆動され、絞り１０３は絞り駆動機構１０９によって駆動されるよう接続されている。
【００２６】
レンズ駆動機構１０７および絞り駆動機構１０９は、それぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００２７】
カメラ本体２００内には、被写体像を観察光学系に反射するために撮影光学系１０１の光軸に対して４５度傾いた位置（下降位置、被写体像観察位置、挿入位置）と、被写体像を撮像素子２２１に導くために跳ね上がった位置（上昇位置、退避位置）との間で、回動可能な可動ミラー２０１が設けられている。この可動ミラー２０１の上方には、上述したようにフォーカシングスクリーン２０５および被写体像を左右反転させるためのペンタプリズム２０７が配置されている。
【００２８】
このペンタプリズム２０７の出射側(図４で右側)には被写体像観察用の接眼レンズ２１２（図４では省略）が配置され、この脇であって被写体像の観察に邪魔にならない位置に測光センサ２１１が配置されている。この測光センサ２１１は、測光処理回路２４１に接続され、測光センサ２１１の出力は、この測光処理回路２４１によって増幅処理やアナログ−デジタル変換等の処理がなされる。
【００２９】
ペンタプリズム２０７の上方には、前述したように、フラッシュユニット５０が回動自在に配置されている。このフラッシュユニット５０はフラッシュ発光回路２４７に接続されており、フラッシュ発光回路２４７は、本発光やプリ発光等のフラッシュの発光制御を行う。また、フラッシュ発光回路２４７は、フラッシュユニット５０の自動ポップアップ機構を有しており、自動ポップアップ等の制御も行う。
【００３０】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには、ハーフミラー部を覆う位置に回動し、可動ミラー２０１が被写体像観察位置（下降位置）にあるときには、図示する如く可動ミラー２０１に対して開いた位置にある。
【００３１】
この可動ミラー２０１は可動ミラー駆動機構２３９によって駆動されている。また、サブミラー２０３の下方には位相差ＡＦセンサ２４３が配置されており、この位相差ＡＦセンサ２４３の出力は位相差ＡＦ処理回路２４５に接続されている。位相差ＡＦセンサ２４３は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。
【００３２】
可動ミラー２０１の後方には、前述した露光時間制御用のフォーカルプレーンシャッタ２１３が配置されており、このフォーカルプレーンシャッタ２１３はシャッタ駆動機構２３７によって駆動制御される。
【００３３】
フォーカルプレーンシャッタ２１３の後方には、防塵フィルタ２１５、圧電素子２１６、赤外カットフィルタ・ローパスフィルタ２１７が配置されている。防塵フィルタ２１５の周囲には圧電素子２１６が固定されており、この圧電素子２１６は防塵フィルタ駆動回路２３５によって、超音波で振動する。防塵フィルタ２１５の付着した塵埃は、圧電素子２１６に発生する振動波によって、除塵される。
【００３４】
赤外カットフィルタ・ローパスフィルタ２１７は、被写体光束から赤外光成分と、高周波成分を除去するための光学フィルタである。防塵フィルタ２１５、圧電素子２１６、赤外カットフィルタ・ローパスフィルタ２１７および撮像素子２２１は、塵埃等が侵入しないように気密に一体に構成されている。
【００３５】
赤外カットフィルタ・ローパスフィルタ２１７の後方には、前述した撮像素子２２１が配置されており、撮影光学系１０１によって結像される被写体像を電気信号に光電変換する。なお、撮像素子２１１としては、ＣＣＤ（Charge Coupled Device）またはＣＭＯＳ（Complementary Metal Oxide Semiconductor）等の二次元撮像素子を使用できることは言うまでもない。
【００３６】
撮像素子２２１は撮像素子駆動回路２２３に接続され、この撮像素子駆動回路２２３によって、撮像素子２２１の電荷蓄積の開始および終了の制御や、また撮像素子２２１から画像信号の読出し等が行われる。撮像素子駆動回路２２３は、画像処理回路２５７に接続されている。
【００３７】
画像処理回路２５７は、ライブビュー表示のための画素間引き処理、拡大表示のための切り出し処理等の画像処理のための前処理を行なう。また、画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。さらに、画像処理回路２５７は、デジタル画像データを用いて、被写体輝度の測定(測光)も行う。
【００３８】
画像処理回路２５７は、ＡＳＩＣ（Application Specific
Integrated Circuit 特定用途向け集積回路）２５０内のデータバス２５２に接続されている。このデータバス２５２には、シーケンスコントローラ(以下、「ボディＣＰＵ」と称す)２５１、圧縮伸張回路２５９、ビデオ信号出力回路２６１、ＳＤＲＡＭ制御回路２６５、入出力回路２７１、通信回路２７３、記録媒体制御回路２７５、フラッシュメモリ制御回路２７９、スイッチ検知回路２８３が接続されている。
【００３９】
データバス２５２に接続されているボディＣＰＵ２５１は、フラッシュメモリ２８１に記憶されているプログラムに従ってこのカメラの動作を制御する。圧縮伸張回路２５９はＳＤＲＡＭ２６７に記憶された画像データをＪＰＥＧやＴＩＦＦ等の圧縮方式で圧縮するための回路である。また、ＳＤＲＡＭ２６７や記録媒体２７７に記録されている画像データの伸張も行う。なお、画像圧縮はＪＰＥＧやＴＩＦＦに限らず、他の圧縮方式も適用できる。
【００４０】
ビデオ信号出力回路２６１は液晶モニタ駆動回路２６３を介して液晶モニタ２６に接続される。ビデオ信号出力回路２６１は、ＳＤＲＡＭ２６７や記録媒体２７７に記憶された画像データを、液晶モニタ２６に表示するためのビデオ信号に変換するための回路である。液晶モニタ駆動回路２６３は、バックライト装置２７にも接続されており、液晶モニタ２６のバックライトの制御を行う。
【００４１】
ＳＤＲＡＭ２６７は、ＳＤＲＡＭ制御回路２６５を介してデータバス２５２に接続されており、このＳＤＲＡＭ２６７は、画像処理回路２５７によって画像処理された画像データまたは圧縮伸張回路２５９によって圧縮された画像データを一時的に記憶するためのバッファメモリである。
【００４２】
上述の撮像素子駆動回路２２３、防塵フィルタ駆動回路２３５、シャッタ駆動機構２３７、可動ミラー駆動機構２３９、測光処理回路２４１、位相差ＡＦ処理回路２４５、およびフラッシュ発光回路２４７に接続される入出力回路２７１は、データバス２５２を介してボディＣＰＵ２５１等の各回路とデータの入出力を制御する。
【００４３】
レンズＣＰＵ１１１と通信接点３００を介して接続された通信回路２７３は、データバス２５２に接続され、ボディＣＰＵ２５１等とのデータのやりとりや制御命令の通信を行う。データバス２５２に接続された記録媒体制御回路２７５は、記録媒体２７７に接続され、この記録媒体２７７への画像データ等の記録及び画像データ等の読み出しの制御を行う。
【００４４】
記録媒体２７７は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００４５】
フラッシュメモリ制御回路２７９は、フラッシュメモリ（Flash Memory）２８１に接続され、このフラッシュメモリ２８１は、デジタルカメラの動作を制御するためのプログラムが記憶されており、ボディＣＰＵ２５１はこのフラッシュメモリ２８１に記憶されたプログラムに従ってデジタルカメラの制御を行う。なお、フラッシュメモリ２８１は、電気的に書換可能な不揮発性メモリである。
【００４６】
パワースイッチ２８５は、カメラのパワーオンオフを制御するための手動操作部材に連動し、このパワースイッチ２８５は、スイッチ検知回路２８３を介してデータバス２５２に接続されている。また、着脱検知スイッチ２８９は、カメラ本体２００のボディマウントの近傍に配置され、カメラ本体２００に交換レンズ１００が装着されているか否かの判定を行う。着脱検知スイッチ２８９の出力は、スイッチ検知回路２８３を介してデータバス２５２に接続されている。
【００４７】
ポップアップ検知スイッチ２９１は、フラッシュユニット５０がポップアップされた状態か収納状態かを検知するスイッチであり、スイッチ検知回路２８３を介してデータバス２５２に接続されている。また、シャッタレリーズ釦の第1ストローク（半押し）を検出する１ｓｔレリーズスイッチや、第２ストローク（全押し）を検出する２ｎｄレリーズスイッチ、メニュー釦の操作によってオンするメニュースイッチ等を含む各種スイッチ２８７は、スイッチ検知回路２８３を介してデータバス２５２に接続されている。
【００４８】
次に、本実施形態における動作について、フラッシュ装置に関連する部分について、図６および図７に示すフローチャートを用いて説明する。図６は、カメラの通常モードを示すフローチャートであり、カメラ本体２００に電源電池が装填され、かつパワーオン状態の際の動作を示す。通常モードでは、カメラ本体２００に内蔵のフラッシュユニット５０は低輝度の場合に自動的にポップアップし、適正露光となるように被写体に向けてフラッシュ光を照射する。
【００４９】
通常モードのフローに入ると、まず、１ｓｔレリーズスイッチがオンか否かの判定を行う（Ｓ１）。このステップでは、その他の各種スイッチ２８７の１つである１ｓｔレリーズスイッチがオンであるか否かを、スイッチ検知回路２８３を介して検出する。
【００５０】
ステップＳ１における判定の結果、１ｓｔレリーズスイッチがオンでなかった場合には、オンになるまで待機状態となる。１ｓｔレリーズスイッチがオンとなると、測光・測距を行う（Ｓ３）。このステップでは、画像処理回路２５７から出力される被写体輝度に基づいて、適正露光となる露光量の演算を行う。また、位相差ＡＦセンサ２４３や位相差ＡＦ処理回路２４５による位相差ＡＦによって焦点ズレ方向および焦点ズレ量を求める。
【００５１】
続いてレンズ駆動を行う（Ｓ５）。このステップでは、ステップＳ３において求めた焦点ズレ方向および焦点ズレ量を用いて、撮影光学系１０１が合焦位置に達するように、レンズＣＰＵ１１１を介して光学系駆動回路１０７の駆動制御を行う。
【００５２】
撮影光学系１０１が合焦位置に達すると、次に、低輝度か否かの判定を行う（Ｓ７）。ここでは、ステップＳ３において行った測光値や露出量に基づいて、被写体が低輝度であるか否かの判定を行う。この判定の結果、低輝度でなかった場合には、ステップＳ１３に進む。一方、判定の結果、低輝度であった場合には、フラッシュのポップアップを行う（Ｓ９）。すなわち、フラッシュ発光回路２４７は、フラッシュユニット５０を図１および図３（ｂ）に示すように、ポップアップする。
【００５３】
ポップアップを行い、ポップアップ検知スイッチ２９１がオンになったことが検知されたら、次に、フラッシュユニット５０の発光準備を行う（Ｓ１１）。このステップでは、フラッシュ発光回路２４７の昇圧充電動作等を行う。発光準備がなされると、続いて、２ｎｄレリーズがオンか否かの判定を行う（Ｓ１３）。このステップでは、その他の各種スイッチ２８７の１つである２ｎｄレリーズスイッチがオンであるか否かを、スイッチ検知回路２８３を介して検出する。
【００５４】
ステップＳ１３における判定の結果、２ｎｄレリーズスイッチがオンでなかった場合には、ステップＳ１と同様に、１ｓｔレリーズスイッチがオンか否かの判定を行う（Ｓ１５）。判定の結果、オンであった場合には、ステップＳ１３に戻り、２ｎｄレリーズスイッチと、１ｓｔレリーズスイッチを交互に判定する待機状態となる。１ｓｔレリーズスイッチがオフとなると、ステップＳ１に戻る。
【００５５】
ステップＳ１３における判定の結果、２ｎｄレリーズスイッチがオンとなると、露光のための動作を開始する。まず、ミラー駆動を行う（Ｓ１７）。このステップでは、可動ミラー２０１を上昇させ、撮影光路から退避させる。その他、絞り１０３を開放状態から設定されている絞り値まで絞込みも行う。
【００５６】
これで、露光の準備ができたので、撮像を開始する（Ｓ１９）。すなわち、フォーカルプレーンシャッタ２１３の先幕を走行させ、撮像素子２２１の電荷蓄積を開始する。フォーカルプレーンシャッタ２１３が全開となると、フラッシュユニット５０は被写体に向けてフラッシュ光を照射する。このときの発光量は、予めプリ発光によって決定した発光量でもよく、また測距結果と絞り値によって求められるフラッシュマチックによる発光量でも良い。所定の露光時間が経過すると、フォーカルプレーンシャッタ２１３の後幕を走行させ、撮像素子２２１の電荷蓄積を停止する。なお、フラッシュユニット５０の発光のタイミングは、後幕走行に同期させても良い。
【００５７】
撮像が終わると、ミラー駆動およびシャッタチャージを行う（Ｓ２１）。このステップでは、可動ミラー２０１を下降させ、被写体光束をペンタプリズム２０７等の光学ファインダ側に導き、またフォーカルプレーンシャッタ２１３のシャッタチャージを行う。なお、絞り１０３を開放状態に復帰させ、また、撮像素子２２１から画像信号の読出しも行う。
これらの動作が終わると、ステップＳ１に戻る。
【００５８】
このように、通常モードでは、低輝度で自動的にポップアップされ、ポップアップ検知スイッチ２９１がオンになり、フラッシュユニット５０の発光が許容される。なお、低輝度時以外にも、撮影者によって、強制発光モードが選択された場合には、フラッシュユニット５０による発光は許容されるようにしても良い。
【００５９】
次に、ワイヤレス制御モードについて、図７を用いて説明する。ワイヤレス制御モードは、カメラ本体２００から離れた位置に、１つまたは複数のワイヤレスフラッシュ装置を配置し、カメラ本体２００内のフラッシュユニット５０からの照射光によって、ワイヤレスフラッシュ装置の発光を制御する。
【００６０】
ワイヤレス制御モードへの移行は、通常モード中のメニューモード(不図示)を実行する際に、ワイヤレス制御モードを選択することによって行われる。ワイヤレス制御モードが設定されると、フラッシュユニット５０は低輝度であっても自動ポップアップはしない。ワイヤレスフラッシュ装置への制御は、フラッシュユニット５０を収納したままで発光させ、可視光カットプリズム６１を透過し照射窓６１ａを通じて照射される主として赤外光によって行われる。
【００６１】
ワイヤレス制御モードに入ると、ステップＳ１１と同様に、フラッシュユニット５０の発光準備を行う（Ｓ３１）。続いて、ステップＳ１と同様に、１ｓｔレリーズスイッチがオンか否かの判定を行う（Ｓ３３）。この判定の結果、１ｓｔレリーズスイッチがオンでなかった場合には、ステップＳ３１に戻る。一方、この判定の結果、１ｓｔレリーズスイッチがオンとなった場合には、ステップＳ３と同様に、測光・測距を行い（Ｓ３５）、ステップＳ５と同様にレンズ駆動を行う（Ｓ３７）。
【００６２】
レンズ駆動によって撮影光学系１０１が合焦位置に達すると、次に、ステップＳ１３と同様に、２ｎｄレリーズスイッチがオンか否かの判定を行う（Ｓ３９）。この判定の結果、２ｎｄレリーズスイッチがオンでなかった場合には、ステップＳ１５と同様に、１ｓｔレリーズスイッチがオンか否かの判定を行う（Ｓ４１）。この判定の結果、１ｓｔレリーズスイッチがオンのままであった場合には、ステップＳ３９に戻り、一方、１ｓｔレリーズスイッチがオフとなると、ステップＳ３１に戻る。
【００６３】
ステップＳ３９における判定の結果、２ｎｄレリーズスイッチがオンとなると、露光のための動作を開始する。まず、ワイヤレス通信発光を行う（Ｓ４３）。このステップでは、フラッシュユニット５０を収納したままでプリ発光を行う。プリ発光は、ワイヤレスフラッシュ装置の本発光に先立って、ワイヤレスフラッシュ装置に事前に情報を送信するものであり、具体的には、ワイヤレスフラッシュ装置に対してプリ発光を指令する。
【００６４】
続いて、発光量の決定を行う（Ｓ４５）。このステップでは、ワイヤレスフラッシュ装置によるプリ発光時に、カメラ本体２００の撮像素子２２１によって取得した被写体輝度から、ワイヤレスフラッシュ装置の本発光量を決定する。発光量が決まると、フラッシュユニット５０は、ワイヤレス通信発光によって、すなわち、フラッシュユニット５０を収納した状態のまま発光することによって本発光量をワイヤレスフラッシュ装置に通信する。
【００６５】
続いて、ステップＳ１７と同様に、ミラー駆動を行う（Ｓ４７）。これによって、可動ミラー２０１は撮影光路から退避する。次に、ステップＳ１９と同様に、撮像を行う（Ｓ４９）。ただし、ワイヤレス制御モードにおいては、カメラ本体２００に内蔵のフラッシュユニット５０は本発光することはなく、本発光のタイミングで、フラッシュユニット５０からワイヤレスフラッシュ装置に対して発光指令を行う。勿論、このときも、フラッシュユニット５０は収納状態のままで発光する。
【００６６】
撮像が終わると、次に、ステップＳ２１と同様に、ミラー駆動およびシャッタチャージを行い（Ｓ５１）、これが終わると、ステップＳ３１に戻る。
【００６７】
このように、ワイヤレス制御モードでは、フラッシュユニット５０は収納状態のままで、ステップＳ４３、Ｓ４５、Ｓ４９において、ワイヤレスフラッシュ装置と通信のために、３回発光する。
【００６８】
また、ワイヤレス制御モードでは、ポップアップ検知スイッチ２９１の状態に係わらず、フラッシュユニット５０の発光が許容される。上述の説明では、フラッシュユニット５０が収納状態のままの場合について説明したが、手動でフラッシュユニット５０をポップアップさせても良く、この場合でもワイヤレス制御モードにおける処理手順は同じである。この場合には、フラッシュユニット５０はポップアップした状態で、ワイヤレスフラッシュ装置とワイヤレス通信発光を行い、ステップＳ４９の撮像時には、ワイヤレスフラッシュ装置と共にフラッシュユニット５０も本発光を行う。
【００６９】
以上、説明したように、本実施形態においては、ワイヤレス制御モードが設定されると、フラッシュユニット５０はポップアップすることなく収納状態のままであっても、ワイヤレスフラッシュ装置に対してワイヤレス通信発光によって発光制御を行うことができる。このため、簡便な構造で、ワイヤレスコントロールフラッシュが可能である。
【００７０】
一般に、フラッシュユニット５０が収納された状態で発光させると、カメラ本体２００の照射面が発光による熱のために変形しやすいが、ワイヤレス通信発光のように小発光では、発光量が少ないことから熱のために変形することがない。本実施形態においては、この点に着目し、収納状態において小発光での通信を可能としている。このため、ワイヤレスフラッシュ装置を制御する場合に、わざわざフラッシュユニット５０をポップアップする必要がない。
【００７１】
また、本実施形態においては、フラッシュユニット５０の収納状態では、可視光カットプリズム６１によって、可視光をカットするようにしている。このため、ワイヤレスフラッシュ装置を制御する際に、カメラ本体２００に内蔵されたフラッシュユニット５０が収納状態では、撮影者の見える光が照射されることがなく、まぶしくなることがない。
【００７２】
なお、本実施形態においては、フラッシュユニット５０からの照射光は、可視光カットプリズム６１を通り、外部に照射されていたが、図５に示すように、可視光カットプリズム６１の一面側に反射板６３を設け、これによって更に反射するようにしても良い。反射板６３を設けることにより、光量ロスを減少させ、また耐熱性を向上させることができる。
【００７３】
また、本実施形態においては、フラッシュユニット５０の収納状態において、照射光の光路をカメラ前方に導くにあたって、プリズムを用いていたが、プリズムを用いることなく反射板のみで構成し、その光路中に可視光カットのフィルタを配置するようにしても良い。
【００７４】
さらに、本実施形態においては、フラッシュユニット５０の収納状態において、ワイヤレス通信のための配光特性については、特段、配慮していなかったが、ワイヤレスフラッシュ装置の配置位置の自由度を高めるために、通常の照射範囲よりも広い範囲となるように、可視光カットプリズム６１や反射板６３等の形状を変更したり、また照射窓６１ａにレンズを配置するようにしても良い。
【００７５】
さらに、本実施形態においては、撮影のための機器として、デジタル一眼レフカメラを用いて説明したが、カメラとしては、コンパクトデジタルカメラやフィルムカメラでもよく、また、ビデオカメラ、ムービーカメラのような動画用のカメラでもよい。いずれにしても、ワイヤレスフラッシュ装置と組み合わせて使用するカメラであれば、本発明を適用することができる。
【００７６】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００７７】
【図１】本発明の一実施形態に係わるカメラについて、フラッシュユニットがポップアップした状態において、撮影レンズの光軸方向に沿った内部構成を示す断面図である。
【図２】本発明の一実施形態に係わるカメラについて、フラッシュユニットを収納した状態において、撮影レンズの光軸方向に沿った内部構成を示す断面図である。
【図３】本発明の一実施形態に係わるカメラの正面図であり、（ａ）はフラッシュユニットを収納した状態であり、（ｂ）はフラッシュユニットをポップアップさせた状態である。
【図４】本発明の一実施形態に係わるカメラの電気系を主とする全体構成を示すブロック図である。
【図５】本発明の一実施形態の変形例におけるカメラにおいて、フラッシュユニットを収納した状態において、撮影レンズの光軸方向に沿った内部構成を示す断面図である。
【図６】本発明の一実施形態におけるカメラにおいて、通常モードの動作を示すフローチャートである。
【図７】本発明の一実施形態におけるカメラにおいて、ワイヤレス制御モードの動作を示すフローチャートである。
【符号の説明】
【００７８】
２６・・・液晶モニタ、２７・・・バックライト装置、２９・・・基板、５０・・・ストロボ、５１・・・可動支持部、５３・・・発光部、５５・・・パネル、６１・・・可視光カットプリズム、６１ａ・・・照射窓、６３・・・反射板、１００・・・交換レンズ、１０１・・・撮影光学系、１０３・・・絞り、１０７・・・光学系駆動機構、１０９・・・絞り駆動機構、１１１・・・レンズＣＰＵ、２００・・・カメラ本体、２０１・・・可動ミラー、２０３・・・サブミラー、２０５・・・フォーカシングスクリーン、２０７・・・ペンタプリズム、２１１・・・測光センサ、２１２・・・接眼レンズ、２１３・・・フォーカルプレーンシャッタ、２１５・・・防塵フィルタ、２１６・・・圧電素子、２１７・・・赤外カットフィルタ・ローパスフィルタ、２２１・・・撮像素子、２２３・・・撮像素子駆動回路、２３５・・・防塵フィルタ駆動回路、２３７・・・シャッタ駆動機構、２３９・・・可動ミラー駆動機構、２４１・・・測光処理回路、２４３・・・位相差測距センサ、２４５・・・測距処理回路、２４７・・・フラッシュ発光回路、２５０・・・ＡＳＩＣ、２５１・・・シーケンスコントローラ（ボディＣＰＵ）、２５７・・・画像処理回路、２５９・・・圧縮伸張回路、２６１・・・ビデオ信号出力回路、２６３・・・液晶モニタ駆動回路、２６５・・・ＳＤＲＡＭ制御回路、２６７・・・ＳＤＲＡＭ、２７１・・・入出力回路、２７３・・・通信回路、２７５・・・記録媒体制御回路、２７７・・・記録媒体、２７９・・・フラッシュメモリ制御回路、２８１・・・フラッシュメモリ、２８３・・・スイッチ検知回路、２８５・・・パワースイッチ、２８７・・・その他の各種スイッチ、２８９・・・着脱検知スイッチ、２９１・・・ポップアップ検知スイッチ、３００・・・通信接点
【図１】
2010039163.tif 000003
【図２】
2010039163.tif 000004
【図５】
2010039163.tif 000005
【図３】
2010039163.tif 000006
【図４】
2010039163.tif 000007
【図６】
2010039163.tif 000008
【図７】
2010039163.tif 000009